(57)【要約】  足指の長さに関係なく指圧効果を与えることができ、また、足の筋肉群の弛緩に伴う静脈血管の屈曲を効果的に矯正することができる靴下を提供する。  ５本の足指を突出させるための爪先開口部を有する靴下本体を備え、着用時に、前記爪先開口部から突出する足指の付け根の間に掛かって引っ張られる紐を、前記靴下本体に取り付けたことを特徴とする。【特許請求の範囲】
【請求項１】
５本の足指を突出させるための爪先開口部を有する靴下本体と、
前記靴下本体に取り付けられ、着用時に、前記爪先開口部から突出する親指と第２指の付け根の間に掛かって引っ張られる第一紐と、
前記靴下本体に取り付けられ、着用時に、前記爪先開口部から突出する第４指と小指の付け根の間に掛かって引っ張られる第二紐と、を有し、
前記第一紐は、前記親指と前記第２指の付け根の間を通って長母指屈筋腱に沿った方向に引っ張られ、前記第二紐は、前記第４指と前記小指の付け根の間を通って短指屈筋に沿った方向に引っ張られることを特徴とする、靴下。
【請求項２】
着用時の前記爪先開口部の開口縁部は、第一趾骨と第一中足骨の接合部と、第五趾骨と第五中足骨の接合部とを結ぶ仮想線よりも約１ｃｍ後方で且つ前記仮想線と略平行となる仮想線上に位置することを特徴とする請求項１に記載の靴下。
【請求項３】
前記紐は１５〜３０ｍＮの力で引っ張られるように設定されたことを特徴とする請求項１に記載の靴下。
【請求項４】
前記靴下本体は、伸び縮み可能なメリヤス編みによって形成され、
前記爪先開口部と足首部位との間を覆う第１の部分と、
足首部位をサポートする足首サポーター部と、
該足首サポーター部から膝下部位までを覆う第２の部分と、
膝下部位をサポートする口編部と、を有し、
前記第１の部分の巾方向の伸び率が２１５〜２５０％であり、
前記足首サポーター部の巾方向の伸び率が１８０〜２１５％であり、
前記第２の部分の巾方向の伸び率が２９５〜３３５％であり、
前記口編部の巾方向の伸び率が２９５〜３６０％であることを特徴とする請求項１記載の靴下。
【発明の詳細な説明】
【技術分野】
【０００１】
本発明は、血行促進等を目的とした靴下に関するものである。
【背景技術】
【０００２】
血行促進を目的とする履き物としては、足底形状に形成した足載台の上面先端部に足の五指を挿入係止するアーチ状の係止帯を設け、上記足載台と係止帯との間には、足先の五指間に各別に係入される４本の鼻緒を直立状に設けたことを特徴とする履き物（特許文献１等）が提案されている。この履き物によれば、歩行中、各鼻緒で各指間の付け根部が指圧作用を受けて刺激されるので、血行が良くなる等の効果はあるが、指の長さによっては付け根部に当たらず、指先がだぶついて不快感がある等の問題があった。【０００３】
また、足の筋肉群は加齢などによって弛緩し、それに伴って筋肉内の静脈血管が屈曲して血流が阻害され、また、筋肉の弛緩時には静脈血管の屈曲が更に大きくなって血流障害が顕著になるが、履き物の鼻緒では静脈血管を真っ直ぐに矯正することはできないという問題があった。
【特許文献１】特開平７−１００１６５号公報
【発明の開示】
【発明が解決しようとする課題】
【０００４】
そこで、本発明は、足指の長さに関係なく指圧効果を与えることができ、また、足の筋肉群の弛緩に伴う静脈血管の屈曲を効果的に矯正することができる靴下を提供することを課題とする。
【課題を解決するための手段】
【０００５】
本発明者は、前記課題を解決するために鋭意研究を重ねて完成されたものである。
１．５本の足指を突出させるための爪先開口部を有する靴下本体と、前記靴下本体に取り付けられ、着用時に、前記爪先開口部から突出する親指と第２指の付け根の間に掛かって引っ張られる第一紐と、前記靴下本体に取り付けられ、着用時に、前記爪先開口部から突出する第４指と小指の付け根の間に掛かって引っ張られる第二紐と、を有し、前記第一紐は、前記親指と前記第２指の付け根の間を通って長母指屈筋腱に沿った方向に引っ張られ、前記第二紐は、前記第４指と前記小指の付け根の間を通って短指屈筋に沿った方向に引っ張られることを特徴とする、靴下を提供する。
２．着用時の前記爪先開口部の開口縁部は、第一趾骨と第一中足骨の接合部と、第五趾骨と第五中足骨の接合部とを結ぶ仮想線よりも約１ｃｍ後方で且つ前記仮想線と略平行となる仮想線上に位置することを特徴とする前記１に記載の靴下を提供する。
３．前記紐は１５〜３０ｍＮの力で引っ張られるように設定されたことを特徴とする前記１に記載の靴下を提供する。
４．前記靴下本体は、前記爪先開口部と足首部位との間を覆う第１の部分と、足首部位をサポートする足首サポーター部と、該足首サポーター部と膝下部位との間を覆う第２の部分と、膝下部位をサポートする口編部と、を有し、前記第１の部分の巾方向の伸び率が２１５〜２５０％であり、前記足首サポーター部の巾方向の伸び率が１８０〜２１５％であり、前記第２の部分の巾方向の伸び率が２９５〜３３５％であり、前記口編部の巾方向の伸び率が２９５〜３６０％であることを特徴とする前記１に記載の靴下を提供する。
【発明の効果】
【０００６】
本発明の靴下によれば、５本の足指を突出させるための爪先開口部を有する靴下本体を備え、着用時に、前記爪先開口部から突出する足指の付け根の間に掛かって引っ張られる紐を、前記靴下本体に取り付けので、各指間の付け根部を紐で刺激して血行を促進できる。【０００７】
特に、親指と第２指の間に掛かる第一紐と、第４指と小指の間に掛かる第二紐とを有し、前記第一紐は、前記親指と前記第２指の付け根の間を通って長母指屈筋腱に沿った方向に引っ張られ、前記第二紐は、前記第４指と前記小指の付け根の間を通って短指屈筋に沿った方向に引っ張られるように構成すれば、静脈血管の屈曲が矯正されるように紐を筋肉群の作用させることができる。【０００８】
すなわち、足の横断面はアーチ状になり、筋肉や筋等は、足先に近づくほど平面視の足の両側に移動していくので、親指と第２指の付け根の間、第４指と小指の付け根の間に紐を掛けて筋肉を弛み方向と逆の方向（第一紐については、長母指屈筋腱に沿った方向、第二紐については短指屈筋に沿った方向）に引っ張れば、筋肉の弛緩による血行不良を効果的に解消することができる。【０００９】
また、着用時の前記爪先開口部の開口縁部は、第一趾骨と第一中足骨の接合部と、第五趾骨と第五中足骨の接合部とを結ぶ仮想線よりも約１ｃｍ踵寄りで且つ前記仮想線と略平行となる仮想線上に位置すれば、これら接合部上が靴下本体の前記爪先開口部の開口縁部によって圧迫されるのを回避できる。【００１０】
また、前記紐が１５〜３０ｍＮの力で引っ張られるように設定すれば、下垂移動変形した足の筋肉群を適度の力で矯正することができる。すなわち、３０ｍＮを越える力で引っ張れば、毛細管がつぶれることがなく、１５ｍＮに満たない力の場合には矯正力を発揮できないからである。【００１１】
さらに、前記靴下本体が、前記爪先開口部から足首部位までを覆う第１の部分と、足首部位をサポートする足首サポーター部と、該足首サポーター部から膝下部位までを覆う第２の部分と、膝下部位をサポートする口編部と、を備え、前記第１の部分の伸び率を２１５〜２５０％、前記足首サポーター部の伸び率が１８０〜２１５％、前記第２の部分の伸び率が２９５〜３３５％、且つ、前記口編部の伸び率が２９５〜３６０％とすることにより、前記第２の部分がふくらはぎの筋肉を優しく包み込み、足首サポーター部が、ふくらはぎの筋肉を下から支えるとともに、靴下本体が全体としての伸び率を前記所定範囲に設定することにより血行不良を解消する。すなわち、各部位の伸び率が前記所定範囲の伸び率より大きいと、圧迫による血行不良が生じる一方、前記所定範囲の伸び率より小さいと、靴下がずれ易くなり、履き心地がわるくなる。
【図面の簡単な説明】
【００１２】
【図１】本発明の靴下の第１実施形態の非着用時の平面図である。
【図２】第１実施形態の非着用時の側面図である。
【図３】第１実施形態の着用状態を示す斜視図である。
【図４】第１実施形態の着用状態の説明図である。
【図５】本発明に係る靴下の第２実施形態を示す着用時の斜視図である。
【図６】第２実施形態の実施例の非着用時の平面図である。
【図７】比較例の非着用時の側面図である。
【図８】比較例の非着用時の平面図である。
【図９】実施例と比較例の着圧を示すグラフである。
【図１０】実施例と比較例の血行の程度を示すグラフである。
【符号の説明】
【００１３】
Ａ、Ａ１      靴下
１      第一紐
２      第二紐
３、３Ａ      靴下本体
３７    爪先開口部
４０  第１の部分
４１  足首サポーター部
４２  第２の部分
４３  口編部
１０１  親指
１０２  第２指
１０４  第４指
１０５  小指
２０１  第一趾骨
２０５  第五趾骨
３０１  第一中足骨
３０５  第五中足骨
４０１  接合部
４０５  接合部
Ｌ      仮想線
【発明を実施するための最良の形態】
【００１４】
先ず、本発明に係る靴下の第１実施形態について図１〜４を参照しつつ説明する。【００１５】
図１〜図３のように靴下Ａは、親指１０１と第２指１０２の付け根間に掛けられる第一紐１と、第４指１０４と小指１０５の付け根間に掛けられる第二紐２と、靴下本体３とを備えている。【００１６】
靴下本体３は、ゴム糸入りの口編部３１と、脚部３２と、踵部３３と、足底部３４と甲部３５から成る足部３６と、５本の足指１０１〜１０５を突出させるための爪先開口部３７とを備えている。第一紐１及び第二紐２の上端及び下端は、靴下本体３の爪先開口部３７の甲部３５側の縁部及び足底部３４側の縁部にそれぞれ縫い付けられている。【００１７】
図４は靴下の着用時の状態を示し、爪先開口部３７の開口縁部は、第一趾骨２０１と第一中足骨３０１の接合部４０１と、第五趾骨２０５と第五中足骨３０５の接合部４０５とを結ぶ仮想線よりも約１ｃｍ踵寄りで且つ前記仮想線と略平行となる仮想線Ｌ上に位置するものである。また、第一紐１は、親指１０１と第２指１０２の付け根の間を通って長母指屈筋腱に沿った方向に２６．６ｍNの力で引っ張られ、また、第二紐２は、第４指１０４と小指１０５の付け根の間を通って短指屈筋に沿った方向に１６．０ｍNの力で引っ張られ、これによって下垂移動変形した足の筋肉群を矯正できるようになっている。図３のように紐１，２の取り付け部１ａ，２ａ以外の爪先開口部３７の開口縁部は踵の方向に引っ張られて多少湾曲した形になる。なお、上述のように、紐１，２は１５〜３０ｍNの範囲内の力で引っ張られるように設定されるものである。【００１８】
靴下本体３は、例えば伸縮性を有する編み地であってシングル編機で編成され、表には番手４０／２で綿１００％の糸が使用され、裏にはカバー糸（ナイロン（２０ｄ）、芯糸はポリウレタン弾性繊維（７０ｄ））が使用される。また、紐１，２としては、肌当たりが柔らかいもの、例えば織ゴム紐や中空マカロニ形テープ（ナイロン８５％、ポリウレタン弾性繊維１５％）が使用される。また、第一紐１の長さは例えば７．５ｃｍであり、その縫い込み代は２ｃｍ、第二紐２の例えば長さは６．０ｃｍであり、その縫い込み代は２ｃｍである。【００１９】
次に、本発明に係る靴下の第２実施形態について、図５を参照して説明する。なお、上記第１実施形態と同様の部分は、同符号を付した。【００２０】
第２実施形態の靴下Ａ１は、靴下本体３Ａが、爪先開口部３７と踝の少し上の足首部位との間を覆う第１の部分４０と、足首部位をサポートする足首サポーター部４１と、足首サポーター部４１から膝下部位までを覆う第２の部分４２と、膝下部位をサポートするゴム糸入りの口編部４３と、を備えている。爪先開口部３７には、第一紐１と、第二紐２が取り付けられている。【００２１】
第１の部分４０は、伸び率が２１５〜２５０％に設定されている。足首サポーター部４１は、伸び率が１８０〜２１５％に設定されている。第２の部分４２は、伸び率が２９５〜３３５％に設定されている。さらに、口編部４３は、伸び率が２９５〜３６０％に設定される。【００２２】
着用時の着用圧及び血流について、本発明の実施例と、比較例とを、下記の通り比較実験した。【００２３】
本発明実施例
（１）第１の部分４０及び第２の部分４２：
表糸；番手６０／２の綿１００％
裏糸；番手２０／７０のポリウレタン弾性糸
（ナイロン９１．３％、ポリウレタン８．７％）
（２）サポーター部４２：
表糸；番手６０／２の綿１００％
裏糸；番手４０／７０のポリウレタン弾性糸
（ナイロン８７．５％、ポリウレタン１２．５％）
（３）各部位の巾寸法（W１〜W４）について、図６に示すように、靴下を踵部分４４を上にして平置きにした状態で、巾寸法及び縦寸法を実測した。第２の部分、サポーター部、及び第１の部分は、巾寸法が同じになっている。【００２４】
口編部の巾寸法（W1）：仕上がり寸法８ｃｍ、伸び後寸法２６ｃｍ
第２の部分の巾寸法（W２）：仕上がり寸法８．６ｃｍ、伸び後寸法２７ｃｍ
サポーター部の巾寸法（W３）：仕上がり寸法８．６ｃｍ、伸び後寸法１７ｃｍ
第１の部分の巾寸法（W４）：仕上がり寸法８．６ｃｍ、伸び後寸法２０ｃｍ
口編部の縦寸法（Ｌ１）：仕上がり寸法３．５ｃｍ
第２の部分の縦寸法（Ｌ２）：仕上がり寸法２５ｃｍ
サポーター部の縦寸法（Ｌ３）：仕上がり寸法８ｃｍ
第１の部分（Ｌ４，Ｌ５）：仕上がり寸法  Ｌ４＝６．５ｃｍ、Ｌ５＝１２ｃｍ
比較例
図７に示すような通常のロングソックス（サイズ２２〜２５ｃｍ）を用いた。【００２５】
表糸：番手６０／２の綿１００％
裏糸：番手５０／１のナイロンフィラメント１００％
図８に示すように平置きにした状態で、口編部５０、ふくらはぎ部分５１、足首部５２、足先部５３の各部位の巾寸法（X１〜X４）及び長さ寸法（Ｘ５〜Ｘ９）を測定した。【００２６】
口編部の巾（Ｘ１）：仕上がり寸法８ｃｍ、伸び後寸法２４ｃｍ
ふくらはぎ部分の巾（X２）：仕上がり寸法９ｃｍ、伸び後寸法２５ｃｍ
足首部分の巾（X３）：仕上がり寸法８．５ｃｍ、伸び後寸法２０ｃｍ
足先部分の巾（Ｘ４）：仕上がり寸法９．５ｃｍ、伸び後寸法２０ｃｍ
口編部の長さ（Ｘ５）：仕上がり寸法３ｃｍ
ふくらはぎ部分の長さ（X６）：仕上がり寸法２７ｃｍ
足首部分の長さ（X７）：仕上がり寸法６ｃｍ
足先部分の長さ（Ｘ８）：仕上がり寸法２５ｃｍ
なお、足先部分の巾（Ｘ４）の測定位置は、本発明実施例の爪先開口部の位置に相当する位置を測定した。【００２７】
測定方法及び測定結果
実施例と比較例について、着用圧を測定した結果を図９に示す。着用圧は、エアパックによる圧力測定装置、（株）エイエムアイ・テクノ製組込型圧力センサ「パラソル型エアパック」を用いて測定した。図９に示すように、実施例の靴下は、比較例のハイソックスに比べて着用圧が低かった。【００２８】
次に、実施例と比較例とについて、血流測定を行った。血流測定器は、ＧＥ横河メディカルシステム製ポータブル超音波診断装置「ＬＯＧＩＣ−ＢＯＯＫ  ＸＰ」を用い、大腿の静脈血流を測定した。血流測定結果を図１０に示す。図１０の縦軸の単位は、未着用時の血流との比で示されている。図１０に示すように、実施例は、比較例に対して血流の増加が認められた。
【図１】
2007032349.tif 000002
【図２】
2007032349.tif 000003
【図３】
2007032349.tif 000004
【図４】
2007032349.tif 000005
【図５】
2007032349.tif 000006
【図６】
2007032349.tif 000007
【図７】
2007032349.tif 000008
【図８】
2007032349.tif 000009
【図９】
2007032349.tif 000010
【図１０】
2007032349.tif 000011
【国際調査報告】
2007032349.tif 000012
2007032349.tif 000013
2007032349.tif 000014
2007032349.tif 000015